(57)【要約】  複数の周波数帯域を使って基地局と端末が通信を行う無線通信システムにおいて、端末は、周波数帯域毎の無線回線品質を測定し、基地局にこれを通知する。基地局は、端末からの通知に基づいて、端末が使用する周波数帯域を決定する。そして、端末を使用する周波数帯域の違い等に基づいてグループ化し、端末に、どの端末グループに属するかを通知する。端末は、基地局からの通知に基づいて、自端末の使用周波数帯域及び端末グループを設定し、通知された使用周波数帯域の無線回線品質を測定する。測定結果は、基地局に通知される。基地局は、端末の使用周波数帯域に関する無線回線品質に基づいて、使用周波数帯域毎にスケジューリングを行い、端末と通信を開始する。
2008053550.tif 000002
【特許請求の範囲】
【請求項１】
基地局が複数の周波数帯域を使って配下の複数の端末と通信する無線通信システムにおいて、
端末が基地局との通信に使用する周波数帯域毎に得られた無線回線品質に基づいて、該複数の端末を該周波数帯域毎のグループに振り分けるグループ化手段と、
該グループに分けられた端末を、グループを単位としてスケジューリングするスケジューリング手段と、
該スケジューリングの結果に基づいて、基地局が端末と通信を行う通信手段と、
を備えることを特徴とする無線通信システム。
【請求項２】
前記端末を、該端末が使用する周波数帯域の帯域幅の大小によって階層化したグループに分け、階層の上位グループから順にスケジューリングすることを特徴とする請求項１に記載の無線通信システム。
【請求項３】
端末が複数のグループに重複して属することを特徴とする請求項１または２に記載の無線通信システム。
【請求項４】
通信対象の端末が属するグループの周波数帯域についてのみ、基地局において無線回線品質を測定することを特徴とする請求項１に記載の無線通信システム。
【請求項５】
端末が属するグループの周波数帯域についてのみ、端末において無線回線品質を測定することを特徴とする請求項１に記載の無線通信システム。
【請求項６】
測定した無線回線品質を計算することによって無線回線品質指標を得、これを基地局に送信することを特徴とする請求項５に記載の無線通信システム。
【請求項７】
端末は、回線設定時に、基地局から送信される制御信号の受信電力から無線回線品質を算出し、これを基地局に送り、
基地局は、受信した無線回線品質を基に端末をグループ化し、端末に、該端末が属するグループを通知する、
ことを特徴とする請求項１に記載の無線通信システム。
【請求項８】
基地局は、回線設定時に、端末から送信される信号の受信電力から無線回線品質を算出し、該無線回線品質を基に端末をグループ化し、端末に、該端末が属するグループを通知する、
ことを特徴とする請求項１に記載の無線通信システム。
【請求項９】
更に、各端末の使用可能周波数帯域幅を考慮して、端末をグループ化することを特徴とする請求項１に記載の無線通信システム。
【請求項１０】
更に、伝送するデータのサービス品質情報を考慮して、端末をグループ化することを特徴とする請求項１に記載の無線通信システム。
【請求項１１】
更に、端末の移動速度の測定値を考慮して、端末をグループ化することを特徴とする請求項１に記載の無線通信システム。
【請求項１２】
前記グループ毎に、通信に使う変調方式、符号化率を設定することを特徴とする請求項１に記載の無線通信システム。
【請求項１３】
前記スケジューリング手段は、それぞれのグループのスケジューリングを担当する複数のスケジューラからなることを特徴とする請求項１に記載の無線通信システム。
【請求項１４】
基地局が複数の周波数帯域を使って配下の複数の端末と通信する無線通信方法において、
端末が基地局との通信に使用する周波数帯域毎に得られた無線回線品質に基づいて、該複数の端末を該周波数帯域毎のグループに振り分け、
該グループに分けられた端末を、グループを単位としてスケジューリングし、
該スケジューリングの結果に基づいて、基地局が端末と通信を行う、
ことを特徴とする無線通信方法。
【請求項１５】
基地局が複数の周波数帯域を使って配下の複数の端末と通信する無線通信システムにおいて、
端末が基地局との通信に使用する周波数帯域毎に得られた無線回線品質に基づいて、該複数の端末を該周波数帯域毎のグループに振り分けるグループ化手段
を備えることを特徴とする無線通信システム。
【発明の詳細な説明】
【技術分野】
【０００１】
本発明は、無線通信システムに関する。
【背景技術】
【０００２】
スケジューラを用いて送信割り当てを実施する移動通信システムであり、3GPPにおいて標準化が行われているHSDPAシステムの実用化が一部で始まっている。
以下、下り高速伝送を実施するためのHSDPAシステムを例として、端末構成例と基地局構成例を用いて説明する。【０００３】
図１〜図５は、従来のHSDPAシステムを説明する図である。
図１の端末において、例えば、アンテナ１０、無線部１１、復調・復号部１２を介して受信した下り信号のパイロット信号を基に、無線回線品質測定・算出部１３において、無線回線品質指標(以後CQI : Channel Quality Indicatorと略す)を測定し算出する。具体例としては、パイロット信号の受信電力と干渉電力を測定することにより、SIRを算出し、これを基にCQIを算出する。このCQI値を無線回線品質指標送信部１４で、送信用の信号に組み立て、符号化・変調部１５で符号化し、変調し、アンテナ１０を介して上り無線回線で基地局へ伝送する。すなわち、CQI値を基地局に報告する。【０００４】
一方、図２の基地局内は、アンテナ２０、無線部２１、復調・復号部２２を介して、端末から送られてきたCQI値が載せられた信号を受信し、無線回線品質指標収集部２３において、無線回線品質指標（CQI）を収集し、スケジューラ２４に通知する。スケジューラ２４において、例えば、端末から報告された無線回線品質指標(以後CQI : Channel Quality Indicatorと略す)を用いて使用周波数帯域毎に端末の優先順位を算出し、優先順位の高いものから送信パラメータを選択し、制御信号作成部２５で、送信用の制御信号を生成し、符号化・変調部２７、無線部２８、アンテナ２０を介して、端末に送信する。送信データバッファ２６の送信データは、制御信号の送信後に端末に向けて送信される。【０００５】
図３は、スケジューリングの処理フローである。
今、基地局のセルの中に端末UE１〜UEｎがあるとする。ステップＳ１０において、端末UE１〜UEｎのCQI値（CQI１〜CQIｎ）を受信する。ステップＳ１１において、CQI１〜CQIｎを格納する。ステップＳ１２において、TTIを初期化する。TTIとは、transmission time intervalの略であり、端末へのデータの送信間隔を示す。ここでは、端末への送信回数を示す変数として用いている。ステップＳ１３において、TTIを１増加する。ステップＳ１４において、端末UEkの優先度Pkを算出する。ステップＳ１５において、i=0,j=1と初期化する。ステップＳ１６において、無線リソースの残りRiを算出する。i=0のときは、まだ、無線リソースを割り当てていないので、Riは、システムの無線リソース全部である。ステップＳ１７において、無線リソースの残りRiが０より小さくないか否かを判断する。ステップＳ１７の判断がＹｅｓの場合には、ステップＳ２１に進む。ステップＳ１７の判断がＮｏの場合には、ステップＳ１８において、n-i個の端末から優先度（優先順位）Pkが最大値Pk_maxとなる端末UEjを算出する。ステップＳ１９において、端末UEjへのデータの送信方法（データ長、変調方式等）を選択する。ステップＳ２０において、iを１増加し、jを１増加して、ステップＳ１６に戻る。ステップＳ２１では、ステップＳ１９において選択した送信方法を制御信号として変調し、端末へ送信する。ステップＳ２２においては、制御信号を送信した端末向けに送信データを変調し、送信し、ステップＳ１３に戻る。【０００６】
また、優先順位の算出方法として、CQIの値の高いものから選択するMAX CIR法や、CQIの高いものから選択し、かつ、機会が均等となるように選択するPF(Proportional Fairness)法などが使用されている。【０００７】
ところで、上述の3GPPにおいて、次世代移動通信システムとしてE3G(Evolved 3G)システムの仕様検討が行われている。これにおいては、多元接続方式として、下りにOFDMA方式、上りにSC-FDMA方式の導入が検討されている。【０００８】
また、E3Gシステムでは、従来のHSDPAより広い周波数帯域(例えば４倍)を用い、HSDPAシステムと同様にスケジューリングを実施する。さらに、E3Gシステムで使用される端末は、上りと下りで帯域幅が異なる。さらに、例えば、下りの場合、端末が使用できる帯域は1.25MHz, 2.5MHz, 5MHz, 10MHz, 20MHzなど端末によって異なる。【０００９】
このため、HSDPAのように特定の帯域に限定したスケジューリングを行うことができず、使用帯域幅を考慮しシステム帯域20MHzでスケジューリングを実施する必要がある。
言い換えれば、図４のように、一つのスケジューラでシステム全体のスケジューリングを行う必要がある。【００１０】
また、下りのシステムの帯域幅が20MHzで、端末の下り帯域幅が5MHzの場合を想定する。このとき、運用時に使用される周波数は、他の端末との兼ね合いから、使用周波数は可変となり、４つの可能性がある。したがって、基地局のスケジューラが、他の端末の使用帯域幅を考慮し、かつ、複数の帯域から最適な帯域を選択できるようにするためには、図５に示されるように、端末において5MHz帯域毎にCQIを測定・算出し、CQIを基地局に報告しなければならない。【００１１】
すなわち、HSDPAと比較し４倍のCQIの測定・算出が必要となる。また、基地局へのCQI報告回数も４倍となる。この結果、上り回線の干渉も４倍となってしまう。
E3Gシステムにおいて、システム全体のスケジューリングを一つのスケジューラで実施する場合、
・従来のHSDPAシステムのスケジューラと比較し単純には、スケジューリング対象の端末数は、HSDPAシステムと比較し単純には数倍(例えば4倍)となること。
・送信間隔が従来のHSDPAシステムの２msecに比較し１／４である０．５msecとなること。
以上の2点から、例えば、従来の１６倍のスケジューリング速度が要求されている。言い換えれば、優先順位計算時間を１／１６としなければならない。【００１２】
一方、それまでにスケジューリングを行うCPUやDSPの処理性能の向上は、E3Gのサービス開始目標である２０１０年を基準に考えると、ムーアの法則(１８ヶ月で処理速度2倍)を考慮しても４倍程度としかならず、上記１６倍には及ばない。【００１３】
よって、スケジューリング処理の高速化が必要不可欠である。
特許文献１では、高速移動する端末をグルーピングし、スケジューリングする技術が示されている。さらに、スケジューリングの対象となる帯域を特化している。これらは、3GPPのHSUPA(High Speed Uplink Packet Access)をベースとするものと考えられる。
しかしながら、低速移動中や停止中の端末に対してはスケジューリングを実施しないことが説明されている。【００１４】
特許文献２は、OFCDM(Orthogonal Frequency and Code Division Multiplexing)を用いた例である。すなわち、周波数方向及び時間方向に拡散を実施し、多重する方法を用いてものである。【００１５】
特許文献３は、送信電力の減衰量を用いて端末のグルーピングを行うもので、使用周波数帯域に関しては記述がないため、従来のOFDMを使用しているものと考えられる。
特許文献４は、基地局が移動局の移動速度をドップラー周波数を使って検出し、符号化レートと変調方式を最適に選択するものである。【００１６】
特許文献５は、移動局のドップラー周波数等の情報により、移動局と基地局の通信の伝送レートを最適に決定するものである。
特許文献６は、副搬送波をグループ化し、グループ毎にチャネル品質情報を取得して、送受信するものである。
【特許文献１】特開2006-060814号公報
【特許文献２】特開2005-318434号公報
【特許文献３】特開2001-036950号公報
【特許文献４】特開2003-259437号公報
【特許文献５】特開2005-260992号公報
【特許文献６】特開2005-160079号公報
【発明の開示】
【００１７】
本発明の課題は、基地局におけるスケジューリング処理の処理速度を高速化することの出来る無線通信システムを提供することである。
本発明の無線通信システムは、基地局が複数の周波数帯域を使って配下の複数の端末と通信する無線通信システムにおいて、端末が基地局との通信に使用する周波数帯域毎に得られた無線回線品質に基づいて、該複数の端末を該周波数帯域毎のグループに振り分けるグループ化手段と、該グループに分けられた端末を、グループを単位としてスケジューリングするスケジューリング手段と、該スケジューリングの結果に基づいて、基地局が端末と通信を行う通信手段とを備えることを特徴とする。
【図面の簡単な説明】
【００１８】
【図１】従来のHSDPAシステムを説明する図（その１）である。
【図２】従来のHSDPAシステムを説明する図（その２）である。
【図３】従来のHSDPAシステムを説明する図（その３）である。
【図４】従来のHSDPAシステムを説明する図（その４）である。
【図５】従来のHSDPAシステムを説明する図（その５）である。
【図６】本発明の実施形態の処理の流れを示すシーケンス図である。
【図７】本発明に従った、回線設定時に最も簡易な各帯域の回線品質を用いてグルーピングする場合の説明図である。
【図８】使用帯域毎の無線回線品質の測定イメージを示す図である。
【図９】端末のグルーピングとスケジューリングの仕方に関する説明をする図（その１）である。
【図１０】端末のグルーピングとスケジューリングの仕方に関する説明をする図（その２）である。
【図１１】端末の使用帯域幅が図１０と異なる場合のグルーピングとスケジューリングの仕方のイメージを示す図である。
【図１２】階層化グルーピングについて説明する図（その１）である。
【図１３】階層化グルーピングについて説明する図（その２）である。
【図１４】端末をグループ化した際に基地局が有するグループ化テーブルの例である。
【図１５】グループ化の他の方法を説明する図である。
【図１６】図１５のグルーピングに対応する、基地局の有するグループ化テーブルの例である。
【図１７】それぞれ端末をグループに振り分ける際の処理例を示す図（その１）である。
【図１８】それぞれ端末をグループに振り分ける際の処理例を示す図（その２）である。
【図１９】それぞれ端末をグループに振り分ける際の処理例を示す図（その３）である。
【図２０】それぞれ端末をグループに振り分ける際の処理例を示す図（その４）である。
【図２１】それぞれ端末をグループに振り分ける際の処理例を示す図（その５）である。
【図２２】本発明の端末の原理構成を示す図である。
【図２３】本発明の基地局の原理構成を示す図である。
【図２４】図２２の構成を無線回線品質としてCQIを測定する場合に適用した構成例である。
【図２５】図２３の構成を無線回線品質としてCQIを測定する場合に適用した構成例である。
【図２６】本発明の実施形態の基地局の第２の構成例である。
【図２７】本発明の実施形態の基地局の第３の構成例を示す図である。
【図２８】図２７に対応する本発明の実施形態の端末の第２の構成例を示す図である。
【図２９】本発明の実施形態の基地局の第４の構成例を示す図である。
【図３０】本発明の実施形態の基地局の第５の構成例を示す図である。
【発明を実施するための最良の形態】
【００１９】
以下、下り伝送を例として、説明する。
図６は、本発明の実施形態の処理の流れを示すシーケンス図である。
図６において、端末は、周波数帯域毎の無線回線品質を測定する（１）。すなわち、周波数帯域毎に、受信データからSIRを計算し、これを基に、CQI値を求める。測定した無線回線品質を基地局に通知する（２）。基地局では、受信した無線回線品質の情報から、端末が使用すべき周波数帯域を決定し（３）、無線回線品質を送信してきた全ての端末をグループに分類する（４）。グループ化の設定が終わると、基地局は、各端末にその端末が属する端末グループを通知する（５）。端末グループ通知を受け取った端末は、使用周波数帯域及び端末グループの設定を行う（６）。自端末に設定された使用周波数帯域で無線回線品質を測定し（７）、この測定結果を基地局に通知する（８）。基地局では、通知された無線回線品質を基に、使用周波数帯域毎に、スケジューリングを行う。すなわち、端末の優先順位に基づき送信する端末を選択し、かつ送信方法を選択する。この結果を基に端末が受信するための制御情報を作成する。（９）、端末に、送信制御情報を通知し（１０）、その後、データを送信する（１１）。【００２０】
このように、OFDMAシステムやMC-CDMAシステムにおいて、端末が使用可能な帯域幅と使用周波数によって、端末をグルーピングする。グルーピングは、無線回線設定時に実施してもよいし、無線回線設定後一定周期でグルーピングしてもよい。また、グルーピングするための情報は、端末の使用可能帯域幅に加え、帯域毎の回線品質、各帯域の回線使用状況(負荷)などが考えられる。【００２１】
図７は、本発明に従った、回線設定時に最も簡易な各帯域の回線品質を用いてグルーピングする場合の説明図である。
具体的には、ある端末が使用可能な最大帯域幅が5MHzで、システムの帯域幅が20MHzであった場合を考える。回線設定時に、端末において、システム帯域20MHzを使用可能な最大帯域幅5MHzで分割したそれぞれに対して、無線回線品質を測定し、無線回線品質指標を算出し（１）、基地局に対して通知する（２）。基地局(または、無線回線制御局)は、この情報と端末の使用可能帯域幅を基に使用周波数を決定し（３）、使用帯域幅と使用周波数毎に端末を分けグルーピングを実施する（４）。なお、収容可能な周波数間の回線負荷を考慮し、使用周波数を決定してもよい。【００２２】
図７は、図６とほぼ同じであるが、使用周波数帯域及び端末グループの設定が回線設定時に行われ、定常状態では、各端末が自端末の使用周波数帯域の無線回線品質を測定し、報告された無線回線品質を基に基地局においてスケジューリングを行い通信を開始する。定常状態の動作は図６と同じであるため説明を省略する。【００２３】
図８は、使用帯域毎の無線回線品質の測定イメージを示す図である。
前述のように端末グループが決定された端末は、決定された使用周波数に対してのみ回線品質を測定しCQIを算出し、基地局に対して報告を行う。【００２４】
これにより、CQI報告数が削減され、上り干渉を低減することができる。
CQIを受信した基地局は、その端末のグループ毎にCQIを分類し、端末グループ毎(使用周波数帯域毎)にスケジューリングを行う。これにより、スケジューリング対象の端末が減少することから、スケジューリングにおける端末の優先度算出処理量が削減され、処理を高速化できる。また、端末グループ毎にスケジューリングすることから、複数のスケジューラを平行に動作させることにより、更に処理を高速化できる。【００２５】
図９及び図１０は、端末のグルーピングとスケジューリングの仕方に関する説明をする図である。
図９及び図１０では、システムの帯域が20MHzで、端末の使用帯域幅が5MHzの場合を示しており、端末UE１００〜UE１３９を４つのグループにグループ化している。グループ１は、周波数帯域１を使用し、４つ設けられたスケジューラの内のスケジューラ１を用いてスケジューリングをする。同様に、グループ２は、帯域２、スケジューラ２が割り当てられ、グループ３は、帯域３、スケジューラ３、グループ４は、帯域４、スケジューラ４が割り当てられる。このイメージを示したのが、図１０（ａ）である。各グループのスケジューリングは、データの送信間隔が、０．５msであるので、０．５ms毎に行う。【００２６】
このように、スケジューラを複数も受けた場合には、各端末グループに１つのスケジューラを割り当てる。すなわち、グループ１は、例えばスケジューラ１でスケジューリングを行い、グループ２はスケジューラ２でスケジューリングを行う。これらのスケジューリングは、図１０（ｂ）に示すように並列に実施することが可能である。【００２７】
図１１は、端末の使用帯域幅が図１０と異なる場合のグルーピングとスケジューリングの仕方のイメージを示す図である。
図１１では、端末の使用帯域幅が10MHzの場合を示しており、帯域１と帯域２を使い、スケジューラ５でスケジューリングを行うグループ５と、帯域３と帯域４を使い、スケジューラ６でスケジューリングを行うグループ６にグループ化されている。【００２８】
図１２及び図１３は、階層化グルーピングについて説明する図である。
上述のように端末が使用可能な帯域幅は、端末の性能によって異なる。このため、使用可能帯域幅でグルーピングする方法が考えられる。図１２の場合、20MHzを使用可能な端末UE１６０〜UE１６９は、グループ７に分類され、帯域１〜４の全てを使って、スケジューラ７でスケジューリングする。一方、使用帯域が10MHzの端末UE１４０〜UE１４９と、UE１５０〜１５９は、それぞれ、帯域１、２を使い、スケジューラ５によってスケジューリングされるグループ５と、帯域３、４を使用し、スケジューラ６によってスケジューリングされるグループ６に分類される。使用帯域が5MHzの端末UE１００〜１０９、UE１１０〜１１９、UE１２０〜１２９、UE１３０〜１３９は、それぞれ、帯域１を使い、スケジューラ１によってスケジューリングされるグループ１と、帯域２を使い、スケジューラ２によってスケジューリングされるグループ２と、帯域３を使い、スケジューラ３でスケジューリングされるグループ３と、帯域４を使い、スケジューラ４でスケジューリングされるグループ４に分類される。【００２９】
図１３（ａ）及び（ｂ）に示されるように、使用可能帯域を全て使うことを前提とし、例えば、使用可能帯域が20MHzのように使用可能帯域が広いグループを上位グループとし、例えば使用可能帯域が5MHzのように狭いループを下位グループとする。このとき、スケジューリングは、上位グループから下位グループへと実施される。【００３０】
図１３（ａ）に示されるように、各データの伝送時間である０．５ms毎に、最初に、グループ７がスケジューリングされ、次に、グループ５と６が、最後に、グループ１〜４がスケジューリングされる。図１３（ｂ）は、階層化されたスケジューリングのイメージを記載したものである。スケジューラ７から順次階層的に、スケジューリングを行う。スケジューラ５と６では、２つのスケジューラが、スケジューラ１〜４では、４つのスケジューラが並列動作するので、スケジューリングの高速化が期待される。【００３１】
図１４は、端末をグループ化した際に基地局が有するグループ化テーブルの例である。
各端末グループ番号に対応して、各グループの使用帯域の中心周波数、帯域幅、及び、各グループに属する端末の識別番号が登録される。【００３２】
図１５は、グループ化の他の方法を説明する図である。
伝送するデータによっては、必要伝送速度が異なる。そのため、必要帯域幅がデータによって異なる。すなわち、QoSによっては、使用帯域幅を広くとる必要がある場合や使用帯域幅を狭くすることが可能である場合も考えられる。更に、必要伝送速度が満たせない場合であっても、他の端末との兼ね合いから帯域幅を狭くすることで伝送可能である場合は、伝送を実施することも考えられる。このため、ある端末の使用可能な帯域幅が20MHzであった場合、使用帯域幅が20MHzの端末グループに属するだけではなく、10MHzや5MHzなど、より狭い帯域幅の端末グループに属することも可能である。そこで、端末グループをその使用帯域幅の大きさの順に階層化する。図１５では、使用帯域が20MHzの端末は、10MHzでも、5MHzでも通信が可能である。また、使用帯域が10MHzの端末は、5MHzでも通信可能である。使用帯域が20MHzの端末UE１６０〜UE１６９は、帯域１〜４を使用し、スケジューラ７によってスケジューリングされるグループ７に属するほか、グループ１〜６の全てのグループに属するようにグループ化されている。したがって、端末UE１６０〜UE１６９が20MHzの帯域を使えないときは、10MHzの帯域のグループ５あるいは６、10MHzの帯域も使えない場合には、5MHzの帯域のグループ１〜４のいずれかに割り振り、端末UE１６０〜１６９が通信できなくなる可能性を低くする。同様に、使用帯域が10MHzの端末UE１４０〜１４９、UE１５０〜１５９の端末は、グループ１〜４にも割り振り、10MHz帯域での通信が出来ない場合には、5MHz帯域での通信を行えるようにする。使用帯域が5MHzの端末UE１００〜１０９、UE１１０〜１１９、UE１２０〜１２９、UE１３０〜１３９は、5MHz以下の使用帯域がないので、グループ１〜４のみにそれぞれ属する。【００３３】
スケジューリングでは、上位の階層のグループ（例えば20MHz）から下位の階層のグループ（例えば5MHｚ）へと順にスケジューリングを行う。これにより、グループに於けるスケジューリング対象端末数を削減でき、優先順算出処理を削減できることから、スケジューリングを高速化できる。【００３４】
図１６は、図１５のグルーピングに対応する、基地局の有するグループ化テーブルの例である。
端末グループ番号１〜７にそれぞれ対応し、各グループの使用帯域の中心周波数、帯域幅、各グループに属する端末の識別番号が登録されている。【００３５】
図１４の場合も同様であるが、スケジューラを複数設ける場合には、グループの数だけ設ける。そして、グループ毎にスケジューラを設け、各スケジューラを、前述したように階層的に並列に動作させることにより、スケジューリング速度を上げることが出来る。また、スケジューラを複数設ける代わりに、並列動作が可能な１つのスケジューラを用いても良い。【００３６】
図１７〜図２１は、それぞれ端末をグループに振り分ける際の処理の流れの例を示す図である。
図１７の処理の例では、ステップＳ３０において、対象端末の最大使用可能帯域幅を確認する。ステップＳ３１において、帯域毎のCQIを端末から受信する。ステップＳ３２において、CQIの最大値から使用帯域を選択する。ステップＳ３３において、選択された帯域に対応する端末グループを選択する。【００３７】
図１８の例では、ステップＳ３５において、対象端末の最大使用可能帯域幅を確認し、ステップＳ３６において、帯域毎のCQIを端末から受信する。ステップＳ３７において、CQIと各帯域の使用状況から使用帯域を選択し、ステップＳ３８において、端末グループを選択する。各帯域の使用状況とは、各帯域にすでに割り振られている端末の数等である。ある帯域に割り振られる端末の数が多くなりすぎると、スケジューラによる選択される頻度が低下し伝送速度が落ちるため、その場合には、CQIが最大の帯域ではなく、CQIが２番目に大きい帯域を選ぶ等の処理を施す。【００３８】
図１９の例では、ステップＳ４０において、対象端末の最大使用可能帯域幅を確認する。ステップＳ４１において、帯域幅及び帯域毎のCQIを端末から受信する。ステップＳ４２において、CQIの最大値から使用帯域幅及び使用帯域を選択する。ステップＳ４３において、端末グループを選択する。図１９では、端末が複数の使用帯域を使用できる場合を想定している。例えば、システム帯域が20MHzであり、端末の使用帯域が10MHzの場合、端末は、使用帯域幅として、10MHzと5MHzが使用できる。したがって、端末は、10MHz幅の２つの帯域と、5MHz幅の４つの帯域のCQIを測定し、基地局は、この測定結果から、使用帯域を選択する。【００３９】
図２０の例では、例えば、QoSのGBR（Guaranteed Bit Rate）が設定されている場合を考える。すなわち、最低の伝送速度を規定したサービスが設定されている場合を考える。例えば、帯域5MHz、変調方式QPSK、符号化率１／３で伝送可能な伝送速度が3Mbpsであるとする。このとき、ある端末のＧＢＲが5Mbpsであった場合、GBRを満たすためには、帯域幅を10MHzとする必要がある。したがって、使用帯域幅10MHzのグループに端末を割り振るようにする。変調方式としては、QPSKのほかに、１６QAM、６４QAMなどの多値変調方式があり、符号化率を可変にしたり、MIMO機能を使用したりすることも可能である。【００４０】
ステップＳ４５で、対象端末の最大使用可能帯域幅を確認する。ステップＳ４６において、対象端末への伝送データのQoSを確認する。ステップＳ４７において、必要帯域幅を算出する。ステップＳ４８において、必要帯域幅の帯域毎のCQIを端末から受信する。ステップＳ４９において、CQIの最大値と使用可能帯域幅と必要帯域幅から使用帯域幅を選択し、ステップＳ５０において、端末グループを選択する。【００４１】
図２１の例では、端末の移動によって伝送特性が劣化することを考慮する。すなわち、端末の移動速度によって、ドップラー周波数が決まり、ドップラー周波数によって、その伝送特性の劣化の度合いを判断する。ドップラー周波数は、使用周波数が高いほど大きくなるため、高速移動に対応するために、端末との通信に低い周波数を使用することが望ましい。【００４２】
そこで、例えば、システム帯域幅が20MHzで、中心周波数を図１４でｆ１＜ｆ２＜ｆ３＜ｆ４とした場合、周波数の高い帯域（中心周波数ｆ３、ｆ４、ｆ６）を高速移動端末向けとし、低いほうの周波数帯域（ｆ１、ｆ２、ｆ５）を低速移動または静止中の端末向けとする。【００４３】
端末のグループ分けに先立って、端末の移動速度を端末または基地局で推定する。推定方法としては、例えば、フェージングによる受信電界強度の落ち込みの間隔（フェージングピッチ）を測定することによって、移動速度を推定する。その結果を移動速度の閾値と比較し、速い場合には高速移動とし、遅い場合には、低速移動または停止中と判断する。【００４４】
ステップＳ５５において、対象端末の移動速度推定を行う。ステップＳ５６において、高速移動／低速移動を判定する。ステップＳ５７において、対象端末の最大使用可能帯域幅を確認し、ステップＳ５８において、必要帯域幅の帯域毎のCQIを端末から受信し、ステップＳ５９において、移動速度と使用可能帯域幅と各帯域のCQIから帯域幅と使用帯域を選択し、ステップＳ６０において、端末グループを選択する。【００４５】
図２２は、本発明の端末の原理構成を示す図である。図２３は、本発明の基地局の原理構成を示す図である。図２２においては、図１に対応する構成には同じ参照符号を付す。図２３においては、図２に対応する構成には同じ参照符号を付す。【００４６】
E3GなどのOFDMAやMC-CDMAなど複数帯域を使用する無線通信システムの下り送信において、ある端末が、回線設定時に下り制御信号(例えばパイロット)を、アンテナ１０、無線部１１、復調・復号部１２を介して受信し、受信電力を測定することによって、回線品質測定部１３で各帯域の無線回線品質を測定及び算出し、その結果を、回線品質送信部１４、符号化・変調部１５、無線部１６、アンテナ１０を介して上り無線チャネルを使って基地局へ通知する。【００４７】
各帯域の無線回線品質を受信した基地局では、回線設定用測定結果抽出部２９が端末が測定した帯域毎の無線回線品質等を抽出し、回線設定部３０に与える。回線設定部３０は、端末グループ設定部３１の端末に関する情報を参照しながら、その端末の使用可能帯域幅や、帯域の使用状況や負荷を考慮し、その端末が使用する帯域を決定し、使用帯域によって端末をグルーピングし、その結果を、端末グループ設定信号作成部３２を介して端末に通知する。【００４８】
通知を受けた端末は、端末グループ設定情報抽出部１７でこの情報を抽出し、自端末が割り当てられた端末グループの周波数帯域などの設定を端末設定制御部１８を介して、無線部１１、１６、回線品質測定部１３に行う。その後、回線品質測定部１３で使用帯域の回線品質を定期的に測定し、回線品質指標を算出し、上り無線チャネルを介して基地局へ報告する。【００４９】
回線品質情報収集・分類部２３で各端末からの無線回線品質指標を受信した基地局は、端末の属するグループ毎に無線回線品質指標を分類し、スケジューラ２４−１〜２４−ｎを用いて、グループ毎に無線回線品質指標を基に送信優先順位を算出する。このとき、各スケジューラ２４−１〜２４−ｎは、回線品質情報を送ってきた端末が属する端末グループを担当するスケジューラが選択されて、送信優先順位を算出する。なお、図２３では、スケジューラは、２つしか記載されていないが、一般にｎ個設けることが出来、端末グループの数だけ設ければ効果的である。【００５０】
優先順位の算出結果を基に、送信する端末を選択すると共に、送信方法(例えば、送信データ量、変調方式、符号化率など)を選択し、その結果を基に、制御信号作成部２５−１〜２５−ｎにおいて、送信制御信号を作成し、データを送信する端末に対して送信する。送信制御信号に続いて、決定された送信方法に基づいて送信データを符号化し、変調ののち端末に送信する。なお、端末の使用可能帯域幅や使用可能変調方式などを考慮し、送信方法の選択を行う。さらに、グループ毎(スケジューラ毎)に使用可能な変調方式などを制限することにより、送信方法選択処理を簡単にする。【００５１】
端末では、基地局から送られてくる送信制御信号を制御信号抽出部１９で抽出し、信号の内容を解読して、データの受信に必要な設定を復調・復号部１２に行う。設定後は、基地局から送られてくるデータを受信する。【００５２】
上記のように、端末を使用する帯域でグループ化することによって、以下の処理が可能となる。
１）使用帯域に対してのみ無線回線品質を測定し、無線回線品質指標を算出し基地局へ報告する。
２）グループ毎にスケジューリングを行い、優先順の算出、送信端末の選択および送信方法を決定する。【００５３】
上記により以下の効果がある。
未使用の帯域に関して無線回線品質の測定を削減することができる。すなわち、処理が簡易となる。また、基地局に対しての無線回線品質指標の報告数を削減できる。これにより、端末における送信処理を軽減でき、報告数が削減されることから、上り回線の電波干渉を低減できる。【００５４】
また、グループ毎にスケジューリングすることから、スケジューリング対象端末数を削減でき、優先順位算出等の処理時間を短縮することができる。更に、グループ毎にスケジューリングすることから、スケジューリングの並行動作が可能となり、優先順位算出等の処理時間を短縮することができる。【００５５】
なお、図２３の基地局構成例において、点線で囲まれた回線設定部３０と端末グループ設定部３１については、基地局の上位装置である無線回線制御局(RNC)に備えてもよい。
上記では端末のグルーピングを回線設定時に行うとしたが、一定間隔でグルーピングを変更したり、対応する帯域における端末の収容数(すなわち負荷)の調整のため等で随時グルーピングを変更してもよい。この場合、例えば図６に示すような手順で処理する。【００５６】
図２４は、図２２の構成を無線回線品質としてCQIを測定する場合に適用した構成例である。図２５は、図２３の構成を無線回線品質としてCQIを測定する場合に適用した構成例である。【００５７】
図２４のCQI測定・算出部は、自端末がどの端末グループに属するか決定されてから、自端末グループの使用する周波数帯域についてのみCQIを測定、算出するものである。そのための設定は、端末設定制御部１８によって行われる。図２５のCQI収集・分類部２３は、端末からの、その端末が属する端末グループの使用周波数帯域に関するCQIの測定、算出値を収集するもので、得られたCQI値は、対応する端末グループのスケジューリングを担当するスケジューラに渡される。【００５８】
図２６は、本発明の実施形態の基地局の第２の構成例である。
図２６において、図２３に対応する構成には同じ参照符号を付す。
上記構成例では、端末の使用可能帯域幅を考慮し、グルーピングを実施した。ここでは、例えば、端末の使用可能帯域が20MHzであり、分割された一つの帯域が5MHzであった場合を考える。この端末は使用帯域20MHzのグループに属する。しかし、伝送するデータによっては、20MHzの帯域幅を使用しなくてもよい程度の要求伝送速度である可能性がある。この場合、使用帯域幅を20MHzとすることは、不効率である。しかし、使用帯域幅が固定されたグループでは、20MHzの使用となってしまう。【００５９】
そこで、例えば使用可能な帯域幅20MHzでのグループと、帯域幅が10MHzのグループ及び帯域幅が5MHzのグループに重複して属することとする。なお、使用中心周波数が異なるグループに属すことも可能であるから、この場合7つのグループに属することとなる。このとき、広い帯域幅を使用する場合は、送信する端末を選択する際に、使用する帯域幅が広いものから順にスケジューリングを実施しなければない。そこで、使用帯域幅が広いグループから狭いグループへと階層化することによって、広い帯域の使用を容易にすることができる。また、広い使用帯域を使用する際には、連続した帯域を選択することが望ましいが、上記のように階層化することで連続した帯域の使用が容易となる。【００６０】
このような階層化されたグルーピングをする場合、各端末グループに異なるスケジューラを割り当てるのではなく、並列計算が可能な１つの階層化スケジューラ２４ａを設けることによって、実現が可能である。【００６１】
図２７は、本発明の実施形態の基地局の第３の構成例を示す図である。図２８は、図２７に対応する本発明の実施形態の端末の第２の構成例を示す図である。図２７において、図２３に対応する構成には同じ参照符号を付す。図２８において、図２２に対応する構成には同じ参照符号を付す。【００６２】
ここでは、上り伝送を例として説明するが、下り伝送に際して上り無線回線品質を用いて使用周波数帯域を選択してもよい。
端末は、端末性能記憶部５２に記憶された端末性能を基に端末性能情報作成部５３が端末性能情報を作成し、端末性能である使用可能帯域情報にしたがって、上り制御信号作成部５４が作成した制御信号（例パイロット信号）を基地局へ送信する。【００６３】
基地局は、CQI測定・算出部５０において回線設定時に端末から各帯域で送信された制御信号(例パイロット信号)の受信電力を測定し、各帯域の無線回線品質を算出して得られた結果と、端末の使用可能帯域幅を端末性能情報抽出部５１が抽出し、これを回線設定部３０に与えて、該当する端末の属するグループを選択し、端末に通知する。【００６４】
通知を受けた端末は、端末グループ設定情報抽出部１７でグループ情報を抽出し、対応する帯域で受信できるよう、端末設定制御部１８が無線部１１、１６などの装置設定を行い、以後その帯域を用いて上りデータ伝送を実施する。【００６５】
一方、基地局は、以後端末が属するグループの帯域に対してのみ、CQI測定・算出部２３で上り無線回線品質を測定・算出し、その結果を基に上りスケジューリングを実施する。スケジューリングにより算出した優先度を基に端末を選択し、上り送信方法を選択し、選択した端末に対して通知する。この通知は、端末の制御信号抽出部１９で抽出され、復調・復号部１２に設定される。【００６６】
図２９は、本発明の実施形態の基地局の第４の構成例を示す図である。図２９において、図２３に対応する構成には同じ参照符号を付す。
上記構成では、各帯域の無線回線品質と、端末の使用可能帯域幅を用いて端末のグルーピングを実施したが、ここでは、さらに伝送するデータのQoS(Quality of Service)を考慮し端末のグルーピングを行う。QoSは、基地局と端末が通信を行う場合に予め（例えば、回線設定時）決められており、基地局は端末と通信するときのQoSを予め知っているので、この情報を回線設定部３０及び端末グループ設定部３１に入力して、端末をグループ化するときの考慮対象とする。【００６７】
図３０は、本発明の実施形態の基地局の第５の構成例を示す図である。図３０において、図２３に対応する構成には同じ参照符号を付す。
上記構成では、各帯域の無線回線品質と、端末の使用可能帯域幅を用いて端末のグルーピングを実施したが、ここでは、さらに、端末の移動速度を考慮しグルーピングを実施する。基地局において、例えば端末から送られた制御信号(例えばパイロット信号)やデータの受信電力を移動速度測定・算出部４０で測定し、測定結果を基に端末の移動速度(または端末と基地局の相対速度)を算出する。端末グループ設定部３１または回線設定部３０において、測定・算出した端末の速度と端末グループ設定部３１または回線設定部３０の内部に保持された速度閾値とを比較し閾値以上の場合、端末が高速移動していると判断し、使用帯域幅や使用周波数の選択を行うと共に、端末のグループを選択する。なお、速度閾値は、端末グループ設定部３１や回線設定部３０の外部に保持されてもよい。【００６８】
以上説明したように、本発明によれば、端末を使用周波数毎にグルーピングし、グループ毎にスケジューリングを実施することで、スケジューラ当たりのスケジューリング対象端末数を削減することが可能となり、スケジューリングを並列に実施でき、かつスケジューリング処理時間を短縮することが可能となる。【００６９】
また、使用周波数帯域に対してのみ無線回線品質の測定を実施すればよいことから、測定処理を削減することができる。さらに、無線回線品質の報告数を削減することができることから干渉電力を削減することができる。
【図１】
2008053550.tif 000003
【図２】
2008053550.tif 000004
【図３】
2008053550.tif 000005
【図４】
2008053550.tif 000006
【図５】
2008053550.tif 000007
【図６】
2008053550.tif 000008
【図７】
2008053550.tif 000009
【図８】
2008053550.tif 000010
【図９】
2008053550.tif 000011
【図１０】
2008053550.tif 000012
【図１１】
2008053550.tif 000013
【図１２】
2008053550.tif 000014
【図１３】
2008053550.tif 000015
【図１４】
2008053550.tif 000016
【図１５】
2008053550.tif 000017
【図１６】
2008053550.tif 000018
【図１７】
2008053550.tif 000019
【図１８】
2008053550.tif 000020
【図１９】
2008053550.tif 000021
【図２０】
2008053550.tif 000022
【図２１】
2008053550.tif 000023
【図２２】
2008053550.tif 000024
【図２３】
2008053550.tif 000025
【図２４】
2008053550.tif 000026
【図２５】
2008053550.tif 000027
【図２６】
2008053550.tif 000028
【図２７】
2008053550.tif 000029
【図２８】
2008053550.tif 000030
【図２９】
2008053550.tif 000031
【図３０】
2008053550.tif 000032
【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
基地局が複数の周波数帯域を使って配下の複数の端末と通信する無線通信システムにおいて、
端末が基地局との通信に使用する周波数帯域毎に得られた無線回線品質に基づいて、該複数の端末を該周波数帯域毎のグループに振り分けるグループ化手段と、
該グループに分けられた端末を、グループを単位としてスケジューリングするスケジューリング手段と、
該スケジューリングの結果に基づいて、基地局が端末と通信を行う通信手段と、
を備えることを特徴とする無線通信システム。
【請求項２】
前記端末を、該端末が使用する周波数帯域の帯域幅の大小によって階層化したグループに分け、階層の上位グループから順にスケジューリングすることを特徴とする請求項１に記載の無線通信システム。
【請求項３】
端末が複数のグループに重複して属することを特徴とする請求項１または２に記載の無線通信システム。
【請求項４】
通信対象の端末が属するグループの周波数帯域についてのみ、基地局において無線回線品質を測定することを特徴とする請求項１に記載の無線通信システム。
【請求項５】
端末が属するグループの周波数帯域についてのみ、端末において無線回線品質を測定することを特徴とする請求項１に記載の無線通信システム。
【請求項６】
測定した無線回線品質を計算することによって無線回線品質指標を得、これを基地局に送信することを特徴とする請求項５に記載の無線通信システム。
【請求項７】
端末は、回線設定時に、基地局から送信される制御信号の受信電力から無線回線品質を算出し、これを基地局に送り、
基地局は、受信した無線回線品質を基に端末をグループ化し、端末に、該端末が属するグループを通知する、
ことを特徴とする請求項１に記載の無線通信システム。
【請求項８】
基地局は、回線設定時に、端末から送信される信号の受信電力から無線回線品質を算出し、該無線回線品質を基に端末をグループ化し、端末に、該端末が属するグループを通知する、
ことを特徴とする請求項１に記載の無線通信システム。
【請求項９】
更に、各端末の使用可能周波数帯域幅を考慮して、端末をグループ化することを特徴とする請求項１に記載の無線通信システム。
【請求項１０】
更に、伝送するデータのサービス品質情報を考慮して、端末をグループ化することを特徴とする請求項１に記載の無線通信システム。
【国際調査報告】
2008053550.tif 000033
2008053550.tif 000034
2008053550.tif 000035
2008053550.tif 000036